(57)【要約】      （修正有）【課題】遮熱機能があるために、輻射熱が箱体内部に侵入するのを阻止でき、長時間に亘り保冷効果を奏する、組み立てると箱体になるブランクシートを提供する。【解決手段】ブランクシート１０は、シート基材と、該シート基材の両面を覆う遮熱材とからなり、ブランクシート１０の所要個所に、箱体を組み立てるのに必要な切れ目１８と折り目２０が形成され、ブランクシート１０の切れ目１８と折り目２０により仕切られた箱体における４つの側板２２の何れかの端縁部に、折り目２０を介して接続する突出片２８が設けられ、突出片２８に面ファスナー３０の第１係合部３０ａが設けられ、また箱体を組み立てた際に該突出片２８の該第１係合部３０ａが対応する側板２２の部位に、該面ファスナー３０の第２係合部３０ｂが設けられている。【選択図】図２
0003222956.tif 000002
【実用新案登録請求の範囲】
【請求項１】
組み立てると箱体(12)になるブランクシート(10)であって、
前記ブランクシート(10)は、シート基材(14)と、該シート基材(14)の両面を覆う遮熱材(16)とからなり、
前記ブランクシート(10)の所要個所に、前記箱体(12)を組み立てるのに必要な切れ目(18)と折り目(20)が形成され、
前記ブランクシート(10)の前記切れ目(18)と折り目(20)により仕切られた前記箱体(12)における４つの側板(22)の何れかの端縁部に、前記折り目(20)を介して接続する突出片(28)が設けられ、
前記突出片(28)に面ファスナー(30)の第１係合部(30a)が設けられ、また前記箱体(12)を組み立てた際に該突出片(28)の該第１係合部(30a)が対応する前記側板(22)の部位に、該面ファスナー(30)の第２係合部(30b)が設けられている
ことを特徴とするブランクシート。
【考案の詳細な説明】
【技術分野】
【０００１】
この考案は、菓子等の物を収容する箱体として組み立て可能なブランクシートに関し、更に詳しくは、熱の侵入および逃出を遮断して収容物を好適に保冷・保温し得る箱体に組立てたり、平板として展開したりすることの可能な遮熱ブランクシートに関するものである。
【背景技術】
【０００２】
例えば洋菓子店では、ケーキ等の菓子を収納する持ち帰り用の容器が使われている。この容器は、厚紙に所要の切れ目と折り目とを形成した打抜きシート(以下「ブランクシート」という)を使用しており、箱状に組み立てたり、平板状に展開したりすることが可能である。しかし、前記容器には断熱機能がないので、持ち帰り用に氷パック等の蓄冷材を該容器に入れても、内容物の保冷効果は余り長くない。
【０００３】
そこで、箱体に組み立てるための前記ブランクシートの基材を、段ボールやスチロールにしたり、発泡ウレタンシートにしたりして、該箱体に断熱性を持たせるようにしたものが広く使用されている。
【先行技術文献】
【特許文献】
【０００４】
【特許文献１】特開２０００−２０３６６２号公報
【特許文献２】特開２００３−６３５７０号公報
【考案の概要】
【考案が解決しようとする課題】
【０００５】
しかし、前記ウレタンシート等の断熱材を基材とするブランクシートであっても、それによる保冷効果は余り長くは続かない。その理由は、前記断熱材は外部からの熱(外気温や日射し等による輻射熱)が容器内部へ侵入するのを一時的に阻止し得るものの、時間の経過につれて外部の輻射熱が次第に内部へ侵入するからである。このため一般の断熱材では、外来の熱エネルギー(輻射熱)が例えば１割程度は反射されるとしても、時間経過と共に９割程度は箱体の内部へ熱として侵入する。換言すれば、外来の熱エネルギーの容器内への放射率は約９割程度もあり、熱損失が極めて大きい。また逆に、暖い内容物を保温状態で維持する場合であっても同様である。
【０００６】
従って、ケーキ等の菓子を収納する容器では、保冷効果を長く持続させるために、ドライアイスを菓子と共に入れることも一般になされている。しかし、ドライアイスを全ての容器に使用することはコスト高になり、またドライアイスの量が少ないと早く昇華してしまい、それ以後の保冷効果は期待できなくなる。
【課題を解決するための手段】
【０００７】
前記課題を克服し、所期の目的を達成するため請求項１に記載の考案は、
組み立てると箱体になるブランクシートであって、
前記ブランクシートは、シート基材と、該シート基材の両面を覆う遮熱材とからなり、
前記ブランクシートの所要個所に、前記箱体を組み立てるのに必要な切れ目と折り目が形成され、
前記ブランクシートの前記切れ目と折り目により仕切られた前記箱体における４つの側板の何れかの端縁部に、前記折り目を介して接続する突出片が設けられ、
前記突出片に面ファスナーの第１係合部が設けられ、また前記箱体を組み立てた際に該突出片の該第１係合部が対応する前記側板の部位に、該面ファスナーの第２係合部が設けられていることを要旨とする。
請求項１に係る考案によれば、ブランクシートに遮熱機能を持たせたので、外来の熱(熱エネルギー)の多くは箱体の表面で反射され、時間の経過による箱体内部への熱の侵入が極めて小さい。このため、内容物の保冷・保温の持続時間が非常に長くなる利点がある。また、ブランクシートを箱体に組み立てる際は、面ファスナーにおける第１係合部と第２係合部とが係合して確実に組立て状態を維持することができ、更に開梱する際は前記係合を離脱させるだけで、簡単に平板に展開させることができる。しかも、繰返し箱体への組み立てと開梱とをなし得る利点もある。
【考案の効果】
【０００８】
本考案によれば、遮熱材をブランクシートに付帯させることで、外来の熱(輻射熱)を容器の外表面で反射させて、容器内部への熱侵入を大幅に阻止(熱遮断)することができる。また、ブランクシートを箱状に組み立てた際に、面ファスナーの第１係合部と第２係合部とが接離自在に係合するので、箱体の組み立ておよび平板への展開を簡単かつ反復的に行うことができる。
【図面の簡単な説明】
【０００９】
【図１】切れ目および折り目を入れる前の実施例に係るブランクシートにおいて、シート基材の両側に遮熱シートを配置する状態を示す分解説明図である。
【図２】本考案の実施例に係るブランクシートの平面図である。
【図３】図２に示すブランクシートを箱体に組み立てる過程を示す斜視図であって、面ファスナーにおける第１係合体と第２係合体とが係合する直前を示している。
【図４】図２に示すブランクシートを組み立てて箱体とした状態を示す斜視図である。
【考案を実施するための形態】
【００１０】
本考案に係るブランクシートにつき、好適な実施例を挙げて以下に説明する。なお、本明細書で「ブランクシート」というのは、後述する如くウレタン等のシート基材の両面にアルミフォイルの如きシート状の遮熱材を配設した後に、該遮熱材で両面が覆われたシート基材に所要の切れ目(スリット)と折り目(罫線)を形成したものをいう。また前記ブランクシートは、前記切れ目および折り目によって菓子等を保冷・保温状態で収容する箱体に組み立てたり、平板状に展開したりし得るものである。
【実施例】
【００１１】
図２は、本発明の好適な実施例に係るブランクシート１０を平面状態で示すものであり、図４は、前記ブランクシート１０を折り畳むことにより箱体１２に組み立てた状態を示すものである。図３は、前記ブランクシート１０の概略を示す分解斜視図で、ウレタンや厚紙その他段ボール等を材質とするシート基材１４と、該シート基材１４の両面に被着されるシート状の遮熱材１６とから基本的に構成される。前記遮熱材１６は、好適には純度の高いアルミフォイルのシートであって、このアルミフォイルシートは前記シート基材１４の両面に耐熱性樹脂等の接着手段を介して貼り付けられている。この遮熱シートで被覆したブランクシート１０としては、例えば登録商標「リフレクティックス」に係る遮熱シートが好適に使用されるが、それに限られるものではない。
【００１２】
前記ブランクシート１０は、図２に示す如く、前記箱体１２として組み立て得るよう所要個所に切れ目(スリット)１８および折り目(罫線)２０が形成されている。前記切れ目(スリット)１８は、例えばロータリー式のスリッターやスリット打ち抜き用ダイプレスにブランクシート１０を通すことで形成され、また前記折り目２０は、ロータリー式の罫線入れ装置(ルーラー)に該ブランクシート１０を通すことで形成される。更に、前記ブランクシート１０を通すことで前記切れ目１８と折り目２０とを一挙に形成し得る製函機を使用してもよい。
【００１３】
なお図２では、箱体１２を組み立てた際の４つの側板２２が正方形になるよう縦横寸法が同一になっていて、各側板２２は各折り目２０によって横に連接されている。また図２において、前記側板２２の上方に横方向の折り目２０を介して天板フラップ２４が連接されており、該側板２２の下方に横方向の折り目２０を介して底板フラップ２６が連接されている。ここで、前記天板フラップ２４および底板フラップ２６の夫々は、横方向に隣接し合う夫々の天板フラップ２４および底板フラップ２６と、前記切れ目１８により切り離されている。そして各天板フラップ２４および各底板フラップ２６の外形寸法は、図２に示すように、前記側板２２の外形寸法の約半分になっている。
【００１４】
前記ブランクシート１０には、図２に示すように、左側に位置する側板２２の縦方向の端縁部に所定長の突出片２８が一体形成されており、この突出片２８に後述する面ファスナー３０の第１係合部３０ａが設けられている。また、前記箱体１２として組み立てた際に、前記突出片２８における第１係合部３０ａが対向する前記側板２２(図２では右側)の部位に、前記面ファスナー３０の第２係合部３０ｂが設けられている。従って、箱体１２を組み立てた際に、図２において左右に位置する２つの側板２２,２２は、前記第１係合部３０ａと第２係合部３０ｂとが係合することで確実に接続される。また、箱体１２を開梱して平板に展開するときは、前記第１係合部３０ａと第２係合部３０ｂとの係合を解除すれば良い。
【００１５】
ここで前記面ファスナー３０は、一般にマジックテープ(登録商標)やベルクロ(登録商標)と称されるものである。例えば、一方のテープ状基体には鉤状(hook)に起毛された第１係合部３０ａが形成され、他方のテープ状基体には多数のループ状のパイル(pile)に起毛した第２係合部３０ｂが形成されている。そして、鉤状のパイルとループ状のパイルとが絡み合うことで、両テープ状基体が接離自在に接合される。なお、鉤状の起毛やパイル状の起毛の区別がないタイプや、両方がきのこ状に形成されているタイプや、鋸歯状の起毛になっているタイプ等が存在する。
【００１６】
図３は、前記ブランクシート１０を箱体１２に組み立てる過程を示すもので、前記突出片２８における第１係合部３０ａが、他方の側板２２に設けた第２係合部３０ｂに係合する直前の状態になっている。そして図４は、図３に示す過程を経て箱体１２を組み立てた状態を示している。図４に示す本考案の箱体１２は遮光機能を有しているので、外部からの輻射熱の殆どが反射され、時間が経過しても箱内への熱の侵入は最小に留めることができる。従って、箱体に収納したケーキや生鮮物等の保冷状態やピザ等の保温状態を長く保つことができる。また、ピザ等の温かい物を収容した場合は、収容物の温度が箱外へ逃出し難いために長時間に亘り良好な保温効果が得られる。
【符号の説明】
【００１７】
１０  ブランクシート、１２  箱体、１４  シート基材、１６  遮熱材、
１８  切れ目、  ２０  折り目、２２  側板、２８  突出片、３０  面ファスナー、
３０ａ  第１係合部、３０ｂ  第２係合部
【図１】
0003222956.tif 000003
【図２】
0003222956.tif 000004
【図３】
0003222956.tif 000005
【図４】
0003222956.tif 000006